(57)【特許請求の範囲】
【請求項１】
壁面に取付け可能な下ケースと、上記下ケースの開口部に嵌合された上ケースと、上記上ケースの前面に着脱自在に取付けられ、かつ上記上ケースに係止自在な係止手段を有すると共に、前面に複数の記名欄が表示された記名カードと、上記記名カードを覆うように上ケースの前面に着脱自在に取付けられた透明な記名カードカバーと、上記下ケース内に収容され、かつ記名カードの記名欄毎に上ケースに開口された表示孔の後方に発光部が配置された表示手段とを具備したことを特徴とする状態表示盤。
【請求項２】
係止手段を記名カードの一側縁より突設された耳片の少なくとも一方にフックを設けることにより形成してなる請求項１に記載の状態表示盤。
【発明の詳細な説明】
【０００１】
【発明の属する技術分野】
この発明は不在者などを表示する状態表示盤に関する。
【０００２】
【従来の技術】
従来この種の状態表示盤は図９ないし図１１に示すように、壁面ａにビスなどの固着具ｂで固着された下ケースｃと、この下ケースｃの開口部を覆うように嵌合された上ケースｄよりなり、上ケースｄの前面には凹入部ｅが形成されていて、この凹入部ｅに、記名欄ｆが印刷された記名カードｇが収容されている。
【０００３】
また記名カードｇの前面には、記名カードｇが脱落するのを防止するため、透明な薄板よりなる記名カードカバーｈが設けられており、この記名カードカバーｈの一端側には、上記上ケースｄ側に形成された一対のスリットｉに嵌挿自在な耳片ｊが突設され、他端側には、上ケースｄに吸着する磁石体ｋが設けられていて、これら耳片ｊと磁石体ｋによって上ケースｄに着脱自在に取付けられている。
【０００４】
一方上ケースｄには、各記名欄ｆ毎に表示孔ｍが縦方向に開口されていて、これら表示孔ｍの裏面には図示しないＬＥＤが各表示孔ｍ毎に設けられており、これらＬＥＤの点灯により次のように不在者を表示するようになっている。
【０００５】
すなわち、上記状態表示盤は、予め記名カードｇの記名欄ｆに在職者の氏名を記入し、職場の壁面ａなどに取付けて使用するもので、不在者に電話がかかってきて、取り次ぎ者が電話をかけてきた者のメッセージを録音すると、不在者の記名欄ｆに該当するＬＥＤが点灯され、不在者がその録音メッセージを確認するまでは、ＬＥＤは消灯されないため、不在者が帰社した際、不在者に確実に録音メッセージを伝達することができるようになっている。
【０００６】
【発明が解決しようとする課題】
しかし上記従来の状態表示盤では、人事異動等によって記名カードｇに名前を追加したり、削除する場合、まず記名カードカバーｈを外して記名カードｇを取外し、名前の追加、削除を行った後、再び記名カードｇを取付ける際、記名カードｇを手で押えないと、記名カードｇが自重により脱落してしまうため、記名カードｇを手で押えながら記名カードカバーｈを上ケースｄに取付けなければならず、操作が面倒である上、記名カードカバーｈを取付ける際、記名カードｇが下方へずれたり、脱落することが多いため、操作性が大変悪いなどの不具合がある。
【０００７】
この発明はかかる従来の不具合を改善するためになされたもので、記名カード及び記名カードカバーを脱着する際、記名カードが自重により脱落することのない状態表示盤を提供して、操作性の改善を図ることを目的とするものである。
【０００８】
【課題を解決するための手段】
上記目的を達成するため請求項１記載の発明は、壁面に取付け可能な下ケースと、上記下ケースの開口部に嵌合された上ケースと、上記上ケースの前面に着脱自在に取付けられ、かつ上記上ケースに係止自在な係止手段を有すると共に、前面に複数の記名欄が表示された記名カードと、上記記名カードを覆うように上ケースの前面に着脱自在に取付けられた透明な記名カードカバーと、上記下ケース内に収容され、かつ記名カードの記名欄毎に上ケースに開口された表示孔の後方に発光部が配置された表示手段とより構成したものである。
【０００９】
上記構成により、記名カードの記名欄に記入されている名前を変更したり、削除すべく記名カードカバーを上ケースより取外しても、記名カードが自重で脱落することがないので、記名カードや記名カードカバーの脱着作業が容易に行える。
【００１４】
上記目的を達成するため請求項２記載の発明は、請求項１記載の状態表示盤において、係止手段を記名カードの一側縁より突設された耳片の少なくとも一方にフックを設けることにより形成したものである。
【００１５】
上記構成により、係止手段が容易かつ安価に形成できるようになる。
【００１６】
【発明の実施の形態】
以下この発明の実施の形態を図１ないし図８に示す図面を参照して詳述する。
【００１７】
図１は状態表示盤の正面図、図２は同裏面図、図３は同断面図、図４は記名カードの正面図、図５は記名カードカバーの正面図、図６ないし図８は使用時の作用説明図である。
【００１８】
これら図において１は、偏平な角箱状に形成された上ケースで、下ケース２の開口部２ａに嵌合できるようになっている。
【００１９】
上記上ケース１の前面には、周辺部を除く全体に凹入部１ａが形成されており、この凹入部１ａの縦辺の一辺には上下に離間して一対のスリット１ｂが穿設され、他辺の近傍には、後述する記名カード３の記名欄３ａ毎に縦長な長孔よりなる表示孔１ｃが、縦方向に等間隔に穿設されている。
【００２０】
また上記下ケース２の底面には、ビス等の固着具５により下ケース２を壁面６に取付けるための取付け孔２ｂが上下方向に間隔を存して突設されていると共に、下ケース２内には、上記上ケース１の各表示孔１ｃの後方に発光部７ａが位置するように基板８に実装されたＬＥＤよりなる表示手段７が収容されている。
【００２１】
一方上記記名カード３は、上ケース１の凹入部１ａにほぼ一杯に収容できる大きさに形成されていて、前面に複数の記名欄３ａが印刷などの手段で表示されていると共に、記名カード３の一側縁には、上ケース１に形成されたスリット１ｂに嵌挿できる一対の耳片３ｂ，３ｃが上下に離間して突設されて、これら耳片３ｂ，３ｃのうち、上側の耳片３ｂは、下方に向けてフック３ｄが突設されていて、この耳片３ｄを上ケース１の上側のスリット１ｂへ挿入した際、フック３ｄがスリット１ｂの下縁に係合されるようになっている。
【００２２】
また上記記名カード３の前面を覆う記名カードカバー４は、上記記名カード３とほぼ同じ大きさの透明な薄板より形成されていて、一側縁には、上ケース１に形成されたスリット１ｂに嵌挿できる一対の耳片４ａ，４ｂが上下に離間して突設されており、他側縁側の裏面には、上ケース１の前面に吸着する帯状の磁石体８が接着などの手段で固着されている。
【００２３】
次に上記構成された状態表示盤の作用を図６乃至図８に示す図面を参照して説明すると、状態表示盤の使用に当っては、図６に示すように下ケース２の裏側に開口した取付け孔２ａに固着具５を挿入して、壁面６に下ケース２を取付け、下ケース２の開口部２ａに上ケース１を嵌合して使用するもので、予め記名カード３の記名欄３ａに在職者の名前を記入しておくことにより、在職者に電話がかかってきて、取り次ぎ者がメッセージを録音した場合、不在者がその録音メッセージを確認するまでは、不在者の記名欄３ａに該当する表示手段７が点灯されるため、不在者に確実に録音メッセージを伝達することができる。
【００２４】
一方人事異動などにより、記名カード３に記名された名前を追加したり、削除する場合は、まず記名カードカバー４を磁石体８側より取外し、次に記名カード３を取外す。
【００２５】
このとき記名カード３の上側の耳片３ｂに設けられたフック３ｄが、図８に示すように上ケース１側に係止されているため、記名カードカバー４を取外しても、記名カード３が自重により脱落することがない。
【００２６】
次に記名カード３に名前の追加や削除を行ったら、再び記名カード３を上ケース１に取付けるが、取付けるに当っては、まず記名カード３の上下耳片３ｂ，３ｃを上ケース１のスリット１ｂへ挿入する。
【００２７】
これによって上側の耳片３ｂに設けられたフック３ｄがスリット１ｂの下縁に図８に示すように係合するため、取付け後、記名カード３より手を離しても、記名カード３が自重により脱落することがない。
【００２８】
次に記名カードカバー４の耳片４ａをスリット１ｂに挿入して、記名カード３条に記名カードカバー４を重ね、磁石体８を上ケース１の前面に吸着させることにより、記名カード３及び記名カードカバー４を取付けるもので、記名カード３及び記名カードカバー４を脱着する際、記名カード３が自重により脱落することがないので、従来のものに比べ操作性が格段に向上する。なお上記実施の形態では、記名カード３の上側の耳片３ｂにフック３ｄを設けて、このフック３ｄにより記名カード３を係止するようにしたが、上ケース１側に突起を、そして記名カード側にこの突起に係合する孔を設けて、上ケース１に記名カード３を係止してもよく、その他の係止手段により係止するようにしても勿論よい。
【００２９】
【発明の効果】
この発明は以上詳述したように、上ケースの前面に着脱自在な記名カードに、上ケースに係脱自在な係止手段を設けて、この係止手段により記名カードを上ケースに係止するようにしたことから、記名カードを上ケースより脱着する際、記名カードが自重により脱落したり、ずれたりすることがない。
【００３０】
これによって記名カードの脱着操作が容易に行えるため、従来のものに比べて操作性が格段に向上すると共に、記名カードに係止手段を設けるだけでよいため、容易かつ安価に実施することができる。
【図面の簡単な説明】
【図１】この発明の実施の形態になる状態表示盤の正面図
【図２】この発明の実施の形態になる状態表示盤の裏面図
【図３】この発明の実施の形態になる状態表示盤の断面図
【図４】この発明の実施の形態になる状態表示盤に使用する記名カードの正面図
【図５】この発明の実施の形態になる状態表示盤に使用する記名カードカバーの正面図
【図６】この発明の実施の形態になる状態表示盤を壁面に取付けた状態の断面図
【図７】この発明の実施の形態になる状態表示盤の上ケースより記名カード及び記名カードカバーを取外した状態の斜視図
【図８】この発明の実施の形態になる状態表示盤に設けられた記名カードの係止手段を示す説明図
【図９】従来の状態表示盤の分解斜視図
【図１０】従来の状態表示盤に使用する記名カードの正面図
【図１１】従来の状態表示盤を壁面に取付けた状態の断面図
【符号の説明】
１          上ケース
１ａ        凹入部
１ｂ        スリット
１ｃ        表示孔
２          下ケース
２ａ        開口部
２ｂ        取付け孔
３          記名カード
３ａ        記名欄
３ｂ，３ｃ  耳片
３ｄ        フック
４          記名カードカバー
４ａ，４ｂ  耳片
５          固着具
６          壁面
７          表示手段
７ａ        発光部
８          磁石体
【図１】
0003929176.tif 000002
【図２】
0003929176.tif 000003
【図３】
0003929176.tif 000004
【図４】
0003929176.tif 000005
【図５】
0003929176.tif 000006
【図６】
0003929176.tif 000007
【図７】
0003929176.tif 000008
【図８】
0003929176.tif 000009
【図９】
0003929176.tif 000010
【図１０】
0003929176.tif 000011
【図１１】
0003929176.tif 000012